(57)【要約】【課題】  従前の、止め具に於いては、装用に係わる合理性に課題を残したものであり、したがって装着脱時の不便さを改善し合理化せしめる。【解決手段】  本考案は、着脱装用性を踏まえその構造をシンプルにしたことで、装着脱が快適且つ速やかに短縮される、機能性を有する止め具乃至締め具にして、その成分組成をサマリウムコバルト系乃至フェライト系若しくは希土類プラス、フェライトのハイブリット磁石約１００〜２００ｍＴを特徴とする組成体を嵌合せしめ、その組成体より発現する機能性イオンが、自然環境での最良と言われている、森林・川辺・滝壷の周辺に於ける約５００〜３０００個のネガティブイオンが存在している事から、それと同等にしたことで、理想的なイオン環境数値といえる。それは機能性イオンが生体に取り込まれると、生体を酸性傾向からアルカリ性傾向になり、免疫力、恒常性維持機能ホメオスターシスを高めるという事も含め、磁力の効能を更に向上することができることを奏する。【選択図】図１
0003139420.tif 000002
【実用新案登録請求の範囲】
【請求項１】
本考案は、ネックレス、ブレスレット及びアンクレット用の止め具乃至締め具にして、機能性を有する磁気装用具。
【請求項２】
本考案は、その成分組成がゲルマニウム及びラジウム乃至トリウム、若しくはセレニウム、の何れか１つ以上の成分組成からなる微量放射生物質で、法規制３７０ベクレル毎ｇ以下を２５％程度及びボロン５％程度が含まれていることを特徴とする、請求項１記載の機能性を有する磁気装用具。
【請求項３】
本考案は、磁性体止め具乃至締め具にして、その止め具乃至締め具に於いて磁束密度が約１００〜２００ｍＴであることを特徴とする、請求項１、請求項２記載の機能性を有する磁気装用具。
【考案の詳細な説明】
【技術分野】
【０００１】  本考案は、微量放射線ホルミシス及びネガティブイオン並びに、遠赤外線を応用した健康増進機能を有する止め具乃至締め具にして、磁気装用具に関する。
【背景技術】
【０００２】  従前より、磁石を応用した健康磁気装用具は多数存在するが、例えば多数の連結部材で繋ぎ合わせ接続具に装飾品を組み合わせたネックレス、ブレスレットが、健康に対して良好であったことからブームと成り普及に弾みをつけた。
【実用新案文献１】
登録実用新案３０２１２２５号
【０００３】  従前より、金乃至銀、またはプラチナなど、貴金属と遠赤外線を放射するセラミックス及び鉱石を組み合わせ、形成された装身具が知られている。この装身具は肌に直接触れるように使用して、身体の血行を増進しようとするものである。
【考案の開示】
【考案が解決しようとする課題】
【０００４】  従前の装身具に於いて、止め具乃至締め具の装用に拘わる、合理性に課題を残したものであり、不便をきたしていた。【０００５】  また止め具乃至締め具に約１００〜２００ｍＴの希土類系磁石を嵌合して磁性体化し、その磁力を適度の強さとしたので、希土類系磁石より発現する機能性イオン効果も含め、磁気の効能を更に向上することができる。【０００６】  よって本考案は、これらの問題点を解決する為になされたものであって、その目的は装着脱が合理性に富み、更に、良好且つ快適なる機能性を踏まえ、簡便にて持続性の高い磁気装用具及び健康増進機能性を有する、止め具乃至締め具を得ようとするものである。
【課題を解決するための手段】
【０００７】  本考案が、自然環境での最良と言われている、森林・川辺・滝壷の周辺に於ける、約５００〜３０００個のネガティブイオンが存在していることから、自然環境と同等にすることは、頗る理想的な環境イオン数値といえる。【０００８】  本考案は、止め具乃至締め具の形状に於いて、装着時の合理性を追求し、更に機能性を付与することにより、例えば血行を良くすると言われている磁束密度が約１００〜２００ｍＴである事と、健康増進効果をもたらすネガティブイオンを自然界で存在する数値の、約５００〜３０００個放出していることを特徴とする。
【考案の効果】
【０００９】  本考案は、前述したように構成しており装着脱性を踏まえ、その構造をシンプルにしたことで装着脱が、良好且つ快適簡便に短縮された止め具乃至締め具にして、その成分組成をサマリウムコバルト系乃至フェライト系若しくは希土類プラス、フェライトのハイブリット磁石約１００〜２００ｍＴを特徴とする組成体を嵌合せしめ、その止め具乃至締め具より発現する機能性イオンは、自然環境での最良と言われている、森林・川辺・滝壷の周辺に於ける約５００〜３０００個のネガティブイオンが存在している事から、それと同等で理想的なイオン環境数値といえる。それは機能性イオンが生体に取り込まれると、生体を酸性傾向からアルカリ性傾向になり、免疫力及び恒常性維持機能ホメオスターシスを高めるということも含め、磁力の効能を更に向上することができることを奏する。
【考案の実施するための最良の形態】
【００１０】  本考案は、止め具乃至締め具にして、その成分組成がサマリウムコバルト系乃至フェライト系若しくは希土類プラス、フェライトのハイブリット磁石約１００〜２００ｍＴを特徴とする組成体を、嵌合したことと、止め具乃至締め具の形状をシンプルにしたことで簡便に装着脱することができる。
【００１１】  また、磁力を適度の強さとして肌に当たるようにしたので、機能性イオン効果も含め、磁力の効能を更に向上することができる。
【００１２】  法規制レベル３７０ベクレル毎ｇ以内の制定された安全基準を厳守し、無機ゲルマニウム乃至ラジウム及びトリウムほかセレニウムを成分組成の最も主要な特徴としたことで、無機ゲルマニウム乃至ラジウム及びトリウムほかセレニウム、より産生する微量放射線ホルミシスは、生体を刺激し各種ホルモンの分泌を促し、生体機能の増進や細胞賦活作用をもち恒常性維持機能ホメオスターシスを増進させる働きがあります。したがって、機能性イオン効果も含め磁気装用具の効能をさらに、向上することができる。
【００１３】  自然環境での最良と言われている、森林・川辺・滝壷の周辺に於ける約５００〜３０００個のネガティブイオンが存在している事から、それと同等の発生量とすることが望ましい。したがって最良の自然環境と同等で理想的な環境イオン数値といえることを特徴とする。
【実施例】
【００１４】  係る目的を達成した本考案の一実施例である。下記の例によって本考案が実施例だけに限定されるものではない。【００１５】  以下、添付図面に従って一実施例を説明する。図１の▲１▼（ａ）及び（ｂ）は曲型の雌型凹器２、雄型凸器１にして止め具部の対向する１対を示し、連結嵌合する雌型凹器２、雄型凸器１との中央部Ａに、その成分組成をサマリウムコバルト系乃至フェライト系若しくは希土類プラス、フェライトのハイブリット磁石約１００〜２００ｍＴを特徴とする組成体を嵌合固着した。磁力約１００〜２００ｍＴＮ，Ｓ極及び連結嵌合雌型凹器２、雄型凸器１が形成されており磁力Ｎ，Ｓ約１００〜２００ｍＴにより連結固定する。３及び３’は締め具部であり、連結固定用の嵌合雌型凹器２、雄型凸器１が成型された止め具乃至締め具の側面図である。
▲２▼は、曲型の止め具乃至締め具の対向する１対▲１▼を示し、雌型凹器２、雄型凸器１との中央部Ａの磁力約１００〜２００ｍＴのＮ，Ｓ連結嵌合した状態を示す側面図である。
▲３▼は、直型の雌型凹器２と雄型凸器１が成型された止め具乃至締め具（ａ）及び（ｂ）の対向する１対であり、曲型と同様に磁力約１００〜２００ｍＴによるＮ，Ｓ極の連結と、嵌合雌型凹器２、雄型凸器１が形成され磁力約１００〜２００ｍＴにより連結固定した型状を示す側面図である。【００１６】  本考案は、法規制レベル３７０ベクレル毎ｇ以内の制定された安全基準を厳守し、成分組成である無機ゲルマニウム乃至ラジウム乃至トリウム他セレニウム、より産生する微量放射線ホルミシスは、生体を刺激し各種ホルモンの分泌を促し、生体機能の増進や細胞賦活作用をもち、恒常性維持機能ホメオスターシスを増進させる働きがあるので、機能性イオン効果も含め磁気装身具の効能をさらに、向上することができる。更に、自然環境での最良と言われている、森林・川辺・滝壷の周辺に於ける約５００〜３０００個のネガティブイオンが存在していることから、前述したそれと同等の発生量としたので、理想的なイオン環境数値といえることを特徴とした。
【図面の簡単な説明】
【００１７】
【図１】  本考案１実施例の機能性装用具。▲１▼  １実施例の止め具乃至締め具にして、機能性磁気装用具の嵌合側面図。▲２▼  １実施例の曲型止め具乃至締め具にして、機能性磁気装用具の側面図。▲３▼  １実施例の直型止め具乃至締め具にして、機能性磁気装用具の側面図。
【符号の説明】
【００１８】（ａ）  止め具乃至締め具
（ｂ）  止め具乃至締め具
１    嵌合凸部
１’  嵌合凸部
２    嵌合凹部
２’  嵌合凹部
３    締め具
３’  締め具
【図１】
0003139420.tif 000003
【手続補正書】
【提出日】平成19年9月11日(2007.9.11)
【手続補正１】
【補正対象書類名】実用新案登録請求の範囲
【補正対象項目名】全文
【補正方法】変更
【補正の内容】
【実用新案登録請求の範囲】
【請求項１】
本考案は、ベルト用乃至ネックレス、ブレスレット及びアンクレット用の止め具乃至締め具にして、オス型及びメス型の嵌合部形状を有する部材を用い其々にＮ極乃至Ｓ極の磁石を嵌め込み固着し、ワンタッチ装着脱を可能にせしめたことを特徴とする、磁気装用具。
【請求項２】
本考案は、その成分組成がゲルマニウム及びラジウム乃至トリウム、若しくはセレニウム、の何れか１つ以上の成分組成からなる微量放射生物質で、法規制３７０ベクレル／ｇ以下を２５％程度及びボロン５％程度が含まれていることを特徴とする、請求項１記載の機能性を有する磁気装用具。
【請求項３】
本考案は、磁性体止め具乃至締め具にして、その止め具乃至締め具に於いて磁束密度が約１００〜２００ｍＴであることを特徴とする、請求項１または請求項２記載の機能性を有する磁気装用具。
【手続補正２】
【補正対象書類名】明細書
【補正の内容】
0003139420.tif 000004
0003139420.tif 000005
【手続補正３】
【補正対象書類名】図面
【補正対象項目名】図１
【補正方法】変更
【補正の内容】
【図１】
0003139420.tif 000006
【手続補正書】
【提出日】平成19年11月22日(2007.11.22)
【手続補正１】
【補正対象書類名】手続補正書
【補正対象項目名】手続補正２
【補正方法】変更
【補正の内容】
【手続補正２】
【補正対象書類名】明細書
【補正対象項目名】００１５
【補正方法】変更
【補正の内容】
【００１５】  以下、添付図面に従って一実施例を説明する。図１の▲１▼（ａ）及び（ｂ）は曲型の雌型凹器２、雄型凸器▲１▼にして止め具部の対向する１対を示し、連結嵌合する雌型凹器▲２▼雄型凸器１との中央部Ａに、その成分組成をサマリウムコバルト系乃至フェライト系若しくは希土類プラス、フェライトのハイブリット磁石約１００〜２００ｍＴを特徴とする組成体を嵌め込み固着した。連結嵌合部雌型凹器２、雄型凸器▲１▼が形成されており磁力Ｎ極Ｓ極約１００〜２００ｍＴにより連結固定する。３及び▲３▼は中空の締め具部であり用途により帯状乃至紐状物を挿入し加締める。連結固定用の嵌合部雌型凹器２、雄型凸器▲１▼及び雌型凹器▲２▼雄型凸器１が成型された止め具乃至締め具の連結状態を示す側面図である。
▲２▼は、曲型の止め具乃至締め具の対向する１対▲１▼を示し、嵌合部雌型凹器２、雄型凸器１との中央部Ａは磁力約１００〜２００ｍＴのＮ極Ｓ極を其々に嵌合固着した（ａ）及び（ｂ）のフリー状態を示す側面図である。
▲３▼は、直型の雌型凹器２と雄型凸器１が成型された止め具乃至締め具（ａ）及び（ｂ）の対向する１対であり、曲型と同様に磁力約１００〜２００ｍＴを特徴とする組成体を嵌め込み固着した。Ｎ極Ｓ極のワンタッチ装着脱を可能にした嵌合部雌型凹器２、雄型凸器１が形成されフリー状態を示す側面図である。


【手続補正２】
【補正対象書類名】手続補正書
【補正対象項目名】手続補正２
【補正方法】変更
【補正の内容】
【手続補正３】
【補正対象書類名】明細書
【補正対象項目名】００１７
【補正方法】変更
【補正の内容】
【００１７】
【図１】本考案１実施例の機能性装用具。▲１▼１実施例の曲型止め具乃至締め具にして、機能性磁気装用具の連結状態を示す側面図。▲２▼１実施例の曲型止め具乃至締め具にして、機能性磁気装用具のフリー状態を示す側面図。▲３▼１実施例の直型止め具乃至締め具にして、機能性磁気装用具のフリー状態を示す側面図。
【手続補正３】
【補正対象書類名】手続補正書
【補正対象項目名】手続補正２
【補正方法】変更
【補正の内容】
【手続補正４】
【補正対象書類名】明細書
【補正対象項目名】００１８
【補正方法】変更
【補正の内容】
【００１８】（ａ）  止め具乃至締め具
（ｂ）  止め具乃至締め具
１    嵌合凸部
１’  嵌合凸部
２    嵌合凹部
２’  嵌合凹部
３    締め具
３’  締め具
Ａ    磁石


【手続補正４】
【補正対象書類名】手続補正書
【補正対象項目名】手続補正３
【補正方法】変更
【補正の内容】
【手続補正５】
【補正対象書類名】図面
【補正対象項目名】図１
【補正方法】変更
【補正の内容】
【図１】
0003139420.tif 000007